(57)【要約】      （修正有）【課題】会食等において音を鳴らして楽しむことができる飲用容器を提供すること。【解決手段】飲料を入れることができる共鳴体１１と、共鳴体１１が共振する際に共鳴体１１の振動にあまり影響を与えない振動の節となる位置に持ち手部１２を有する。【選択図】図１
2018075352.tif 000002
【特許請求の範囲】
【請求項１】
飲料を入れることができる共鳴体と、当該共鳴体が共振する際に振動の節となる位置に持ち手部を有することを特徴とする飲用容器。
【請求項２】
前記持ち手部は前記共鳴体を自立させる脚部であることを特徴とする請求項１記載の飲用容器。
【請求項３】
前記容器型の共鳴体は銅合金製であることを特徴とする請求項１又は２記載の飲用容器。
【発明の詳細な説明】
【技術分野】
【０００１】
本発明は、音を鳴らしてその音を楽しむことができる飲用容器に関する。
【背景技術】
【０００２】
音が鳴る容器としては、例えば特許文献１に呼び鈴付グラスが開示されている。
しかし、同公報に開示するグラスはグラスを単に呼び鈴に嵌合しただけのものであり、グラス等の容器と共鳴体が一体化されたものではない。
【先行技術文献】
【特許文献】
【０００３】
【特許文献１】実開昭４９−５２８７５号公報
【発明の概要】
【発明が解決しようとする課題】
【０００４】
本発明は、会食等において音を鳴らして楽しむことができる飲用容器の提供を目的とする。
【課題を解決するための手段】
【０００５】
本発明に係る飲用容器は、飲料を入れることができる共鳴体と、当該共鳴体が共振する際に振動の節となる位置に持ち手部を有することを特徴とする。
本発明は、共鳴体が共振する際に振動の節となる部分に持ち手部を取り付けることで、手で持っても共鳴体の振動にあまり影響を与えないことに着目した。
スイートスポットとも称される振動の節は、加振試験を行い振動モード解析を行うことで、その部位に存在することが容易に分かる。
【０００６】
本発明において、持ち手部は前記共鳴体を自立させる脚部になっていてもよい。
また、共鳴体は銅合金製であってよい。
銅合金には、鉛レスの合金が好ましく、Ｃｕ：７３．０〜７７．０％，Ｓｉ：２．７〜３．４％，Ｐ：０．０４〜０．１５％，残部がＺｎと不純物からなる合金、Ｃｕに約２〜１２％のＳｎを添加した合金、あるいはＣｕ：５４〜７５．０％，Ｎｉ：５％以上，Ｍｎ：０〜０．５％，残部がＺｎの合金等が例として挙げられる。
【０００７】
本発明に係る飲用容器は、音が大きく響き、会食等における例えば、乾杯あるいは相互のご挨拶に互いに軽く打ち合って音を楽しむことができる。
【発明の効果】
【０００８】
本発明に係る飲用容器は、持ち手部を手で持っても共鳴体の共振節部に、この持ち手があるので共鳴音がよく響く。
【図面の簡単な説明】
【０００９】
【図１】本発明に係る共鳴体型の飲用容器の例を示す。（ａ）〜（ｃ）に示した例は中心線廻りに点対称の回転体である。
【図２】コブレット型の共鳴体からなる例を示し、（ａ）は斜視図、（ｂ）は平面図、（ｃ）は正面図、（ｄ）は底面図、（ｅ）は断面図を示す。
【図３】コップ型の共鳴体からなる例を示す。
【図４】共鳴体の底部と持ち手部とを連結した例を示す。
【図５】二重構造の共鳴体の例を示す。
【図６】共鳴体の内側に容器部を形成した例を示す。
【図７】二重構造の共鳴体の例を示す。
【図８】注いだ飲料の種類と音の変化をグラフに示す。
【発明を実施するための形態】
【００１０】
本発明に係る共鳴体型の飲用容器の例を以下図面に基づいて説明する。
図１（ａ）は、カクテル型の容器からなる共鳴体１１の下側に、持ち手部１２を有する例である。
本実施例では、持ち手部１２が脚部として機能し、自立させる円形状の座部１７を有している。
共鳴体１１を軽く打つと音が鳴り、その際の共振時に振動の節となる節部１３を有する。
本実施例では、さらに棒状の持ち手部の途中に拡径部からなる節部１３ａを形成することで、持ち手部を手で持った際に共振に影響を与えないようになっている。
このように節部とは、必ずしも１つである必要はなく、加振試験等の振動解析にて容易に確認できる。
容器となる共鳴体部の肉厚は、０．５〜１．５ｍｍが好ましく、特に銅合金製であるのが好ましい。
【００１１】
図１（ｂ）はコップ型の共鳴体１１の下側に脚部となる持ち手部１２を形成した例である。
この場合も共鳴体の底部と脚部とのつなぎ部に、振動の節部１３が存在し、脚部の振れを伴う振動の節部１３ａを脚部の途中に拡径部として設けてある。
脚部の径は、共鳴体１１の大きさにもよるが、径３〜８ｍｍのシャフト状がよい。
また、拡径部の径は、一般部の１．５〜２．０倍がよい。
【００１２】
図１（ｃ）は、タンブラー型の共鳴体１１の側部にリング状の突条部からなる節部１３を形成した例である。
この場合は、節部１３の下側が持ち手部１２となる。
図１（ｃ）に示した節部１３は外周部に突出したリング状の突条部になっているが、内側への突条部や、肉厚をリング状に薄くした溝部であってもよい。
飲用容器に炭酸水等の発泡性の飲料を入れると、後述するように音が出にくくなる。
そのような場合に、図１（ｃ）に示したリング状の節部１３の下側を持ち手部１２とし、リング状の節部１３よりも下側に炭酸水を入れた場合に、このリング状の節部１３より上側は共鳴体と機能し、音が出やすくなる。
【００１３】
図２は、タンブラー型の共鳴体１１の底部に脚部となる持ち手部１２と、座部１７を形成したコブレットに似た例を示す。
本実施例は、図２（ｃ），（ｅ）に示すように脚部の途中に拡径部を設けるかわりに、共鳴体の底部の連結部を拡径させた節部１３である。
材質は、銅合金である。
図２に示した共鳴体１１の開口部の外径約４０ｍｍ，肉厚１ｍｍ，共鳴体部の高さ約４５ｍｍ，共鳴体の底部の内径約２０ｍｍ，持ち手部１２の高さ約２５ｍｍ，座部１７の外径３５ｍｍの大きさからなる飲用容器になっていて、鳴る音の変化を調べた結果を図８に示す。
図８（ａ）は共鳴体が空の状態、（ｂ）は半分程度の水を入れた状態、（ｃ）は半分程度の炭酸水を入れた状態で、打音のＡ特性音圧レベルの最大値が８０±５ｄＢになるように打ち、積分型精密騒音計２２３６（ブリュエル・ケアー・ジャパン製）を用い、約１ｍ離れた位置で測定したグラフである。
飲料によって明らかに、音色や鳴り響く時間に差があることが明らかになった。
なお、等価騒音レベルが７０ｄＢから５０ｄＢまで低下する残響時間を計測すると、空の状態：２．７秒，水を入れた状態：１．５秒なのに対して、炭酸水を入れた場合には極端に短く、０．１秒であった。
なお、清酒を注いで鳴らしてみると、上記の水に近い値を示し、本発明に係る飲用容器は乾杯用にも使用できた。
このように、銅合金にて製作すると大きな音が鳴り、残響時間も長い。
また、飲料により音の鳴り方が変わり、飲料の量によっても変化し、会食等において互いにこの音を楽しむことができる。
この実験から共鳴体からなる容器部は、一般のコップよりも小さくてよく、開口部の外径３０〜６０ｍｍが好ましい。
【００１４】
図３は、コップ型の共鳴体１１の側部の振動の節部１３となる部分に、持ち手部１２を連結した例を示し、図４は円錐状の共鳴体１１ａの底部の節部１３から、持ち手部１２を立設した例を示す。
図５は、共鳴体１１ｂの内側に容器状の共鳴体１４を設け、外側の共鳴体１１ｂの側部の節部１３に持ち手部１２ａを設けた例を示す。
図６は、外側の共鳴体１１ｃの内側の容器１４に、持ち手部１５を形成した例を示す。
図７は、二重の共鳴体１１ｄ，１６のうち、外側の共鳴体１１ｄの開口側に切り欠き部１１１ｄを形成し、飲料の飲みやすくした例である。
この場合に、持ち手部１２ｂを底部の節部１３から立設した。
【符号の説明】
【００１５】
１０      飲用容器
１１      共鳴体
１２      持ち手部
１３      節部
１３ａ    節部
【図１】
2018075352.tif 000003
【図２】
2018075352.tif 000004
【図３】
2018075352.tif 000005
【図４】
2018075352.tif 000006
【図５】
2018075352.tif 000007
【図６】
2018075352.tif 000008
【図７】
2018075352.tif 000009
【図８】
2018075352.tif 000010